(57)【要約】【課題】  分厚いジグザグ折りラベルを低コストで作製することを目的とする。【解決手段】  本発明は、長尺形状の基材をジグザグ状に折り畳んでなるラベルにおいて、ラベルはジグザグ状に折り畳む折り目で偶数個に区分された単位基材が複数連接され、連接された複数の単位基材のうち、両端に位置する端部単位基材の短辺方向の端面に剥離可能な接着部を少なくとも一部設け、端部単位基材から少なくとも２番目に連接された単位基材の長尺方向の長さを端部単位基材から接着部の幅の長さを減じた長さとし、さらに端部単位基材から少なくとも３番目に連接された単位基材の長尺方向の長さを２番目に連接された単位基材の長尺方向の長さから接着部の幅の長さを減じた長さとし、単位基材の数に応じてこれを繰り返すことで端部単位基材どうしが剥離可能に接着されるようにしたことにより上記の課題を解決した。【選択図】  図１
2015043023.tif 000002
【特許請求の範囲】
【請求項１】
長尺形状の基材をジグザグ状に折り畳んでなるラベルにおいて、前記ラベルはジグザグ状に折り畳む折り目で偶数個に区分された単位基材が複数連接され、前記連接された複数の単位基材のうち、両端に位置する端部単位基材の短辺方向の端面に剥離可能な接着部を少なくとも一部設け、前記端部単位基材から少なくとも２番目に連接された単位基材の長尺方向の長さを前記端部単位基材から接着部の幅の長さを減じた長さとし、さらに端部単位基材から少なくとも３番目に連接された単位基材の長尺方向の長さを前記２番目に連接された単位基材の長尺方向の長さから前記接着部の幅の長さを減じた長さとし、単位基材の数に応じてこれを繰り返すことで前記端部単位基材どうしが剥離可能に接着されるようにしたことを特徴とするジグザグ折りラベル。
【請求項２】
前記長尺形状のジグザグに折り畳んでなるラベルの反対面において、前記端部単位基材と隣接する前記単位基材の少なくとも一部に剥離可能な接着部を設けてなることを特徴とする請求項１に記載するジグザグ折りラベル。
【請求項３】
長尺形状の基材をジグザグ状に折り畳んでなるラベルにおいて、前記ラベルはジグザグ状に折り畳む折り目で奇数個に区分された単位基材が複数連接され、前記連接された複数の単位基材のうち、一端に位置する端部単位基材の短辺方向の端面に剥離可能な接着部を少なくとも一部設け、かつ一端に位置する端部単位基材に隣接する単位基材の一部に剥離可能な接着部を設け、前記端部単位基材から少なくとも２番目に連接された単位基材の長尺方向の長さを前記端部単位基材から接着部の幅の長さを減じた長さとし、さらに端部単位基材から少なくとも３番目に連接された単位基材の長尺方向の長さを前記２番目に連接された単位基材の長尺方向の長さから前記接着部の幅の長さを減じた長さとし、単位基材の数に応じてこれを繰り返すことで前記端部単位基材と前記２番目に連接された単位基材どうしが剥離可能に接着されるようにしたことを特徴とするジグザグ折りラベル。
【請求項４】
前記長尺形状のジグザグに折り畳んでなるラベルの反対面において、前記端部単位基材と隣接する前記単位基材の少なくとも一部に剥離可能な接着部を設けてなることを特徴とする請求項３に記載するジグザグ折りラベル。
【請求項５】
前記端部単位基材の表出面の一方に接着剤が設けられてなることを特徴とする請求項１乃至４のいずれか一項に記載のジグザグ折りラベル。
【請求項６】
前記端部単位基材の前記接着部と隣接する領域に前記ジグザグ折りラベルを剥離するための剥離のきっかけ部を設けたことを特徴とする請求項１乃至５のいずれか一項に記載のジグザグ折りラベル。
【発明の詳細な説明】
【技術分野】
【０００１】
本発明は、ジグザグ折りラベルに関し、さらに詳しくは長尺形状の基材をジグザグに折り畳んでなるラベルに関するものである。
【背景技術】
【０００２】
従来からジグザグ折りラベルには種々のものが知られている。例えば、特許文献１に記載されている蛇腹状ラベルは、向かい合う予定の各折り合わせ面の一方にシール層が設けられ他方に離型層が設けられている横長のシート部材を、各折り合わせ面の境界で折り畳み、全体を熱シールして各折り合わせ面を仮接着していることを特徴とするものである。
【先行技術文献】
【特許文献】
【０００３】
【特許文献１】実開平５−７３６７３号公報
【発明の概要】
【発明が解決しようとする課題】
【０００４】
物品や商品などに貼付する従来のジグザグ折りラベルは用紙全面に接着剤または粘着剤を設けたり、複数面に接着剤または粘着剤を塗布したりするので製造コストが高くなっていた。さらにそのようにして製造されたジグザグ折りラベルは、ジグザグ折りラベルを開くのに、手間と時間がかかっていた。また、２つ折りや３つ折りのラベルの場合は、掲載する情報量が制限されるという課題があった。そのため掲載する情報の文字フォントを小さくしているので、高齢者や弱視者は掲載情報を見ることなくラベルを廃棄してしまうことが多く、商品のＰＲができなくなるという課題もあった。さらに折り畳む場合に接着剤または粘着剤を形成するためにジグザグ折りラベルのコーナー部のカットが必要であった。
【課題を解決するための手段】
【０００５】
そこで、本発明に係わるジグザグ折りラベルは、以下の各発明により上記課題を解決した。なお、以下の各発明に付した括弧内の符号は、図面に付した符号と対応している。
【０００６】
本発明にかかわる第１の発明は、長尺形状の基材をジグザグ状に折り畳んでなるラベルにおいて、前記ラベルはジグザグ状に折り畳む折り目で偶数個に区分された単位基材（１３，１４，１５，１６）が複数連接され、前記連接された複数の単位基材（１３，１４，１５，１６）のうち、両端に位置する端部単位基材（１２，１７）の短辺方向の端面に剥離可能な接着部（１１１，１１２）を少なくとも一部設け、前記端部単位基材（１２，１７）から少なくとも２番目に連接された単位基材（１３，１６）の長尺方向の長さを前記端部単位基材（１２，１７）から接着部（１１１，１１２）の幅の長さを減じた長さとし、さらに端部単位基材（１２，１７）から少なくとも３番目に連接された単位基材（１４，１５）の長尺方向の長さを前記２番目に連接された単位基材（１３，１６）の長尺方向の長さから前記接着部（１１１，１１２）の幅の長さ（ａ）を減じた長さとし、単位基材の数に応じてこれを繰り返すことで前記端部単位基材（１２，１７）どうしが剥離可能に接着されるようにしたことを特徴とするジグザグ折りラベル（１０）である。
【０００７】
本発明にかかる第２の発明は、第１の発明において、前記長尺形状のジグザグに折り畳んでなるラベルの反対面において、前記端部単位基材（１２，１７）と隣接する前記単位基材（１３，１６）の少なくとも一部に剥離可能な接着部（１１３，１１４）を設けてなることを特徴とするジグザグ折りラベル（１０）である。
【０００８】
本発明にかかる第３の発明は、長尺形状の基材をジグザグ状に折り畳んでなるラベルにおいて、前記ラベルはジグザグ状に折り畳む折り目で奇数個に区分された単位基材（２２，２３，２４）が複数連接され、前記連接された複数の単位基材（２２，２３，２４）のうち、一端に位置する端部単位基材（２５）の短辺方向の端面に剥離可能な接着部（２１２）を少なくとも一部設け、かつ一端に位置する端部単位基材（２１）に隣接する単位基材（２２）の一部に剥離可能な接着部（２１１）を設け、前記端部単位基材（２１、２５）から少なくとも２番目に連接された単位基材（２２、２４）の長尺方向の長さを前記端部単位基材（２１，２５）から接着部（２１１，２１２）の幅の長さ（ａ）を減じた長さとし、さらに端部単位基材（２１、２５）から少なくとも３番目に連接された単位基材（２３）の長尺方向の長さを前記２番目に連接された単位基材（２２，２４）の長尺方向の長さから前記接着部（２１１，２１２）の幅の長（ａ）さを減じた長さとし、単位基材の数に応じてこれを繰り返すことで前記端部単位基材（２１，２５）と前記２番目に連接された単位基材（２２，２４）どうしが剥離可能に接着されるようにしたことを特徴とするジグザグ折りラベル（１０）である。
【０００９】
本発明にかかる第４の発明は、第３の発明において、前記長尺形状のジグザグに折り畳んでなるラベルの反対面において、前記端部単位基材（２５）と隣接する前記単位基材（２４）の少なくとも一部に剥離可能な接着部（２１３）を設けてなることを特徴とするジグザグ折りラベル（１０）である。
【００１０】
本発明にかかる第５の発明は、第１から第４の発明のいずれか一つの発明において、前記端部単位基材の表出面の一方に接着剤が設けられてなることを特徴とするジグザグ折りラベル（１０）である。
【発明の効果】
【００１１】
本発明によれば、所定の接着部に再剥離可能な粘着剤を形成するため、ジグザグ折りラベルの折り数が多くなり、ラベルがかさばったとしても、ラベルを閉じておくための粘着力が強くラベルが剥がれてしまうという懸念がなくなるという効果がある。
【００１２】
さらに、本発明によれば、ジグザグ折りラベルを開くときも、手間や時間がかからないという効果もある。
【００１３】
さらに、本発明によれば、分厚いジグザグ折りラベルを低コストで作製することが可能となるという効果もある。
【００１４】
さらに、ジグザグ折りラベルの各単位基材の短辺方向の長さを一定にして、長尺方向の長さのみを変えることにより容易に作製することが可能となるという効果もある。
【図面の簡単な説明】
【００１５】
【図１】本発明にかかるジグザグ折りラベルの見開いた状態を示す概略平面図である。
【図２】図１の裏面図である。
【図３】本発明にかかるジグザグ折りラベルの見開いた状態を示す概略平面図の別の一例である。
【図４】本発明にかかるジグザグ折りラベルの見開いた状態を示す概略平面図の別の一例である。
【図５】本発明にかかるジグザグ折りラベルの見開いた状態を示す概略平面図の別の一例である。
【図６】本発明にかかるジグザグ折りラベルの見開いた状態を示す概略平面図の別の一例である。
【図７】図６の裏面図である。
【図８】本発明におけるジグザグ折りラベルの断面図の一例である。
【発明を実施するための形態】
【００１６】
次に、本発明を実施するための形態について、図面を参照して説明する。
【００１７】
図１は、本発明にかかるジグザグ折りラベルの見開いた状態を示す概略平面図である。図１において、１２、１７は端部単位基材、１３、１４、１５、１６は単位基材、１１１、１１２は接着部、ａは接着部の幅、ｂ、ｃ、ｄは長さを示している。
【００１８】
端部単位基材１２と単位基材１３との連接部を谷折りし、前記単位基材１３の次に連接されている単位基材１４とを山折りし次々にジグザグ状に折り畳むと、単位基材１３，１４，１５，１６が偶数個あるので、端部単位基材１２の接着部１１１と端部単位基材１７の接着部１１２どうしが重なることになりジグザグ折りラベル１０が作製される。ジグザグ折りラベル１０は、折り畳む方法、すなわち端部単位基材（１２、１７）および単位基材（１３、１４、１５、１６）の長尺方向の長さを変えることによりカット等の余分な工程を経ずに作製することが可能となる。ジグザグ折りラベル１０の長尺方向の長さ（ｂ、ｃ、ｄ）の関係は次のようになる。すなわち、
ｃ＝ｂ−ａ
ｄ＝ｃ−ａ
である。
単位基材（１３、１６）の長尺方向の長さｃは、端部単位基材（１２，１７）の長尺方向の長さｂから接着部（１１１、１１２）の幅ａを減じた長さである。単位基材（１４，１５）の長尺方向の長さｄは、単位基材（１３，１６）の長尺方向の長さｃから接着部（１１１、１１２）の幅ａを減じた長さである。
端部単位基材（１２，１７）と単位基材（１３，１４，１５，１６）とを合わせて６個のジグザグ折りラベル１０を順列で表示すると次のようになる。
一般に順列の式は、
ｎＰｒ＝ｎ（ｎ−１）（ｎ−２）・・・・（ｎ−ｒ−１）      （ｎ≧ｒ）
であるから
６Ｐ５
となる。
このことは、ｎ個の異なる端部単位基材と単位基材からｒ個の端部単位基材と単位基材に掲載されている情報を特定することが可能であるということになる。
さらに、端部単位基材と単位基材とを合わせてＡｍ個のジグザグ折りラベル１０を等差数列で表示すると次のようになる。
Ａｍ＝Ａ＋（ｍ−１）Ｅ
Ａは初項、Ｅは公差、ｍ≧１であるとすると
Ａｍ＝２ｍ＋４となる。
すなわち、端部単位基材と単位基材とを合わせた個数は５個、７個、９個、１１個、１３個・・・・・・となり、ジグザグ折りラベル１０を分厚くさせることが可能となる。
【００１９】
図２は、図１の裏面図である。１１３、１１４は接着部を示している。
【００２０】
図２の単位基材１６、１３における接着部１１３、１１４は短辺方向に平行に形成されている。
図２では、接着部１１３、１１４とは長方形状をしているが必ずしもこの形に限定されるものではない。
【００２１】
図３は、本発明にかかるジグザグ折りラベルの見開いた状態を示す概略平面図の別の一例である。３００は剥離のきっかけ部、ｅは剥離のきっかけ部の幅を示している。
【００２２】
図３に示されているように端部単位基材１２および端部単位基材１７の端面に剥離のきっかけ部３００を設けることにより、ジグザグ折りラベル１０の内容を見るためのラベル端部を剥がしやすくすることが可能となる。剥離のきっかけ部３００は端部単位基材１２と端部単位基材１７の両方に設けてもよく、片方だけでもよい。
【００２３】
図４は、本発明にかかるジグザグ折りラベルの見開いた状態を示す概略平面図の別の一例である。４００は剥離のきっかけ部を示している。１１１、１１２の接着部は図４では、４点で示しているが、このことにより接着剤の使用量を削減することが可能となる。
【００２４】
図５は、本発明にかかるジグザグ折りラベルの見開いた状態を示す概略平面図の別の一例である。１１５は接着部を示している。接着部１１５は図５では、ジグザグ折りラベルのコーナーに形成しているが、このことにより接着剤の使用量を削減することが可能となる。
【００２５】
図６は、本発明にかかるジグザグ折りラベルの見開いた状態を示す概略平面図の別の一例である。２１１、２１２は接着部を示している。図６は、単位基材（２２、２３、２４）が奇数個の場合を示している。ジグザグ折りラベル１０の長尺方向の長さ（ｂ、ｃ、ｄ）の関係は以下のようになる。
ｃ＝ｂ−ａ
ｄ＝ｃ−ａ
単位基材（２２、２４）の長尺方向の長さｃは、端部単位基材（２１，２５）の長尺方向の長さｂから接着部（２１１、２１２）の幅ａを減じた長さである。単位基材（２３）の長尺方向の長さｄは、単位基材（２２，２４）の長尺方向の長さｃから接着部（２１１、２１２）の幅ａを減じた長さである。
端部単位基材（２１，２５）と単位基材（２２，２３，２４）とを合わせて５個のジグザグ折りラベル１０を順列で表示すると次のようになる。
一般に順列の式は、
ｎＰｒ＝ｎ（ｎ−１）（ｎ−２）・・・・（ｎ−ｒ−１）      （ｎ≧ｒ）
であるから
５Ｐ４
となる。
このことは、ｎ個の異なる端部単位基材と単位基材からｒ個の端部単位基材と単位基材に掲載されている情報を特定することが可能であるということになる。
さらに、端部単位基材と単位基材とを合わせてＡｍ個のジグザグ折りラベル１０を等差数列で表示すると次のようになる。
Ａｍ＝Ａ＋（ｍ−１）Ｅ
Ａは初項、Ｅは公差、ｍ≧１であるとすると
Ａｍ＝２ｍ＋３となる。
すなわち、端部単位基材と単位基材とを合わせた個数は５個、７個、９個、１１個、１３個・・・・・・となり、ジグザグ折りラベル１０を分厚くさせることが可能となる。
【００２６】
図７は、図６の裏面図である。２１３、２１４は接着部である。
【００２７】
図８は、本発明におけるジグザグ折りラベルの断面図の一例である。６１０は接着剤である。
端部単位基材１２もしくは端部単位基材１７の接着部と反対面の少なくとも一部に接着剤あるいは粘着剤を形成し、物品等に貼着させるようにしてもよい。さらに前記接着剤あるいは粘着剤の上面に剥離紙を設けてもよい。実際には、剥離紙を剥がして商品や対象物品に貼付して使用する。
【００２８】
商品および対象物品の形状、材質ともどのようなものを用いてもよく、物品であれば紙製品、プラスチック製品、金属製品等を好適に用いることができる。
ジグザグ折りラベル１０は、飲料商品、お土産、加工食品などの食品表示や成分表示のラベルとして使用することができ、企業や商品ＰＲとしてのラベル、プレゼントキャンペーンなどのラベルとして好適に使用することができる。
【００２９】
接着部（１１１、１１２、１１３、１１４、２１１、２１２、２１３、２１４）に用いられる粘着剤としては、剥離または再剥離可能な粘着剤であればよいが、ジグザグ折りラベル１０に記載している情報がセキュリティー性を要求される場合には、剥離可能でかつ再接着不可もしくは困難な接着剤あるいは粘着剤を用いることが好ましい。
【００３０】
粘着剤の材料としては、綺麗に剥がすことが可能な弱粘着糊、圧着葉書用の粘着剤、例えば熱可塑性樹脂系、天然樹脂系、アクリル系、ゴム系、ワックス系、酢酸ビニル系、デキストリン系等の材料を好適に用いることができる。
【００３１】
ジグザグ折りラベル１０の端部単位基材（１２、１７、２１、２５）あるいは単位基材（１３、１４、１５、１６、）一面分の厚みは１０μｍ〜１５０μｍの範囲が好適で折り曲げ可能な基材が好ましい。端部単位基材（１２、１７、２１、２５）あるいは単位基材（１３、１４、１５、１６）の一辺の長さは１０ｍｍ〜２９８ｍｍの範囲が好ましい。ジグザグ折りラベル１０全体の厚みは対向面である端部単位基材（１２、１７）どうしを粘着できる程度の厚さが好ましい。
【００３２】
本発明のジグザグ折りラベル１０の材料は特に限定されず、例えば、タック紙、グラシン紙、合成紙（ポリオレフィン系、ポリスチレン系、ポリエステル系等）、上質紙、中質紙、アート紙、コート紙、キャストコート紙、ポリエステル、ポリアクリレート、ポリカーボネート、ポリウレタン、セルロース誘導体、ポリエチレン、エチレンー酢酸ビニル共重合体、ポリプロピレン、ポリスチレン、アクリル、ポリ塩化ビニル等の各種プラスチックフィルム又はシートが使用できる。
【符号の説明】
【００３３】
１０    ジグザグ折りラベル
１２    端部単位基材
１３    単位基材
１４    単位基材
１５    単位基材
１６    単位基材
１７    端部単位基材
２１    端部単位基材
２２    単位基材
２３    単位基材
２４    単位基材
２５    端部単位基材
１１１  接着部
１１２  接着部
１１３  接着部
１１４  接着部
１１５  接着部
２１１  接着部
２１２  接着部
２１３  接着部
２１４  接着部
３００  剥離のきっかけ部
４００  剥離のきっかけ部
６１０  接着剤
ａ      接着部の幅
ｂ      長さ
ｃ      長さ
ｄ      長さ
ｅ      剥離のきっかけ部の幅
【図１】
2015043023.tif 000003
【図２】
2015043023.tif 000004
【図３】
2015043023.tif 000005
【図４】
2015043023.tif 000006
【図５】
2015043023.tif 000007
【図６】
2015043023.tif 000008
【図７】
2015043023.tif 000009
【図８】
2015043023.tif 000010